(57)【要約】【課題】複数の異なる放送形態の放送信号の受信可能なディジタル放送受信機に係るディジタル放送内容表示装置にあって、例えば小型画面のテレビ放送受信機であっても、ＨＤ放送と多重化ＳＤ放送とを組み合わせたディジタルテレビ放送の番組情報を見やすく表示すること。【解決手段】ディジタルテレビ放送の特徴となるＨＤ放送番組とＳＤ放送番組とが混合した各番組情報を単チャンネルで単純化したリスト型ＥＰＧ画面２０によって表示させるだけでなく、その中で同時刻に多重化されたＳＤ放送の各番組情報を強調表示の枠（Ｗ）により囲って表示させたり、背景色を変化させたりして表示させることができるので、例え小型な表示画面であっても視聴者が容易に放送モードとその番組内容を認識することができ、瞬時に番組選択するのに必要な番組情報を得ることが可能となり、番組選択操作の簡略化に大きく寄与する。【選択図】      図２
2006050507.tif 000002
【特許請求の範囲】
【請求項１】
ディジタルテレビ放送の放送信号に含まれる番組情報に基づいてＥＰＧ画面を表示させるためのディジタル放送内容表示装置であって、
前記放送信号を入力する放送信号入力手段と、
この放送信号入力手段により入力された放送信号から番組情報を抽出する番組情報抽出手段と、
行方向に一定間隔のリスト型の表示枠を取得して表示させるリスト枠表示制御手段と、
前記番組情報抽出手段により抽出された番組情報から指定のチャンネルの個々の番組情報を放送時刻順に読み出す番組情報読出手段と、
この番組情報読出手段により読み出された番組情報がＨＤ放送の番組情報であるかＳＤ放送の番組情報であるかを判断する放送モード判断手段と、
この放送モード判断手段によりＨＤ放送の番組情報であると判断された場合には、当該番組情報をその放送時刻と対応付けて前記リスト枠表示制御手段により表示されたリスト型表示枠に一行表示させる第１の表示制御手段と、
前記放送モード判断手段により同じ放送時刻で多重化されたＳＤ放送の番組情報であると判断された場合には、当該多重化された複数のＳＤ放送の番組情報をそれぞれその放送時刻と対応付けて前記リスト枠表示制御手段により表示されたリスト型表示枠の連続する複数の行にそれぞれ表示させる第２の表示制御手段と、
この第２の表示制御手段により前記リスト型表示枠の連続する複数の行にそれぞれ表示された複数のＳＤ放送の番組情報を識別して表示させる識別表示制御手段と、
を備えたことを特徴とするディジタル放送内容表示装置。
【請求項２】
前記識別表示制御手段は、
前記リスト型表示枠の連続する複数の行にそれぞれ表示された複数のＳＤ放送の番組情報を囲む枠を強調して識別表示させる識別枠表示制御手段であることを特徴とする請求項１に記載のディジタル放送内容表示装置。
【請求項３】
前記識別表示制御手段は、
前記リスト型表示枠の連続する複数の行にそれぞれ表示された複数のＳＤ放送の番組情報に識別マークを付加して表示させる識別マーク表示制御手段であることを特徴とする請求項１に記載のディジタル放送内容表示装置。
【請求項４】
前記識別表示制御手段は、
前記複数のＳＤ放送の番組情報が表示された前記リスト型表示枠の連続する複数の行の背景色を変化させて表示させる背景色表示制御手段であることを特徴とする請求項１に記載のディジタル放送内容表示装置。
【請求項５】
チャンネル切換手段を備え、
前記指定のチャンネルは、予め設定されたデフォルトのチャンネルおよび前記チャンネル切換手段により切り換えられたチャンネルのうちの何れかのチャンネルである請求項１ないし請求項４の何れか１項に記載のディジタル放送内容表示装置。
【請求項６】
表示装置のコンピュータを制御してディジタルテレビ放送の放送信号に含まれる番組情報に基づいてＥＰＧ画面を表示させるためのディジタル放送内容表示方法であって、
前記ディジタルテレビ放送の放送信号から番組情報を抽出する番組情報抽出ステップと、
行方向に一定間隔のリスト型の表示枠を取得して表示させるリスト枠表示制御ステップと、
前記番組情報抽出ステップにて抽出された番組情報から指定のチャンネルの個々の番組情報を放送時刻順に読み出す番組情報読出ステップと、
この番組情報読出ステップにて読み出された番組情報がＨＤ放送の番組情報であるかＳＤ放送の番組情報であるかを判断する放送モード判断ステップと、
この放送モード判断ステップにてＨＤ放送の番組情報であると判断された場合には、当該番組情報をその放送時刻と対応付けて前記リスト枠表示制御ステップにて表示されたリスト型表示枠に一行表示させる第１の表示制御ステップと、
前記放送モード判断ステップにて同じ放送時刻で多重化されたＳＤ放送の番組情報であると判断された場合には、当該多重化された複数のＳＤ放送の番組情報をそれぞれその放送時刻と対応付けて前記リスト枠表示制御ステップにて表示されたリスト型表示枠の連続する複数の行にそれぞれ表示させる第２の表示制御ステップと、
この第２の表示制御ステップにて前記リスト型表示枠の連続する複数の行にそれぞれ表示された複数のＳＤ放送の番組情報を識別して表示させる識別表示制御ステップと、
からなることを特徴とするディジタル放送内容表示方法。
【発明の詳細な説明】
【技術分野】
【０００１】
本発明は、複数の異なる放送形態の放送信号の受信可能なディジタル放送受信機に係り、主流となるＨＤＴＶ(High Definition Television)放送番組間に複数のＳＤＴＶ(Standard Definition Television)放送番組が放送される場合でも、各放送形態を瞬時に識別可能なＥＰＧ画面として表示することのできるディジタル放送内容表示装置およびその表示方法に関する。
【背景技術】
【０００２】
近年、ディジタル化及び高能率圧縮符号化技術の進歩に伴い、放送業界においてもディジタル方式の衛星ディジタル放送等が世界中で開始され始めている。
【０００３】
ディジタル方式による衛星放送では、ディジタル圧縮技術を使ってチャンネル分割することによって、従来のアナログ・テレビ１チャンネル分で４〜８チャンネルのテレビ放送が収容できる。我が国でも、地上波テレビ，衛星放送，ＣＡＴＶなどすべてのテレビ放送をディジタル化する方針が採択されている。
【０００４】
既に実施されているディジタル伝送による衛星放送形態（以下、ディジタル放送と称す）では、高能率圧縮符号化技術の採用によって、従来のアナログ方式の放送形態よりも大幅にチャンネル数が増大する。つまり、１つのビットストリームに複数の番組が多重され、更に、このようなビットストリームが複数伝送されることから、全体として非常に多くの番組（例えば数１００チャンネル）が放送されることになる。このような多チャンネル化により、一日中映画を放送したり、あるいはニュースを放送したりする専門のチャンネルが増えることから、ユーザにとって選択の余地が増え、視聴者の視聴要求を満足する放送形態として期待度が大きいものとなっている。
【０００５】
しかしながら、逆にチャンネル選択の範囲が広がった事により、どのチャンネルで、どんな番組の放送が行われているかを検索する事が困難になってきているのも実状である。
【０００６】
そこで、従来、日本の衛星ディジタル放送やアメリカの衛星ディジタル放送等では、番組情報データが画像データ以外に送られて来ており、これに対応して受信機側では、この番組情報データから全表示画面を使った番組情報表示方式としてＥＰＧ表示する機能を備えたものも実用化されている。
【０００７】
例えば、多数の番組から所望する番組を容易に選択するために、放送局側は番組データに番組検索を行うための番組情報を含むＳＩ情報（ＳＩ：Service Information）を付加して送信する。一方、受信側では受信データから付加されたＳＩ情報を分離し且つこのＳＩ情報に含まれる番組情報に基づく番組画面（例えば電子番組ガイド、Electronic Program Guideの略で、以下ＥＰＧと称する）を、図６に示すように表示させる。
【０００８】
図６は、従来のラテ欄型ＥＰＧ画面の表示例を示す図である。
【０００９】
視聴者はこのラテ欄型ＥＰＧ表示画面を見ながら番組の検索を行い、検索した番組のチャンネルを選局手段によって選局することにより、所望の番組の視聴を可能とする。
【００１０】
ＳＩ情報には、放送信号に基づく番組の属性を示す番組情報が含まれており、この番組情報は、放送局で番組ごとに視聴者の番組選択に役立つデータである。例えば番組タイトル名や、番組をジャンル別に分類するのに必要なジャンル情報、番組の開始終了時刻情報、伝送チャンネル情報、有料放送等の放送サービス形態を示す情報、番組のシリーズ情報及び番組の視聴可能な制限年齢情報等のデータである。また、送信される放送信号が有料放送である場合には、課金を行うための課金情報等も前記番組情報に付加される場合もある。
【００１１】
ところで、日本国内の次世代ディジタル衛星放送（ＢＳディジタル）や、１９９８年秋からアメリカで開始されるディジタル地上波放送（ＵＳ−ＤＴＶ）等では、時間帯、あるいは番組毎にレゾルーションが例えば１９２０×１０８０画素等の高精細放送（ＨＤ放送）や、例えば野球中継等で、複数の撮影アングル毎に１つの通常放送（ＳＤ放送）とし、これからなる複数のＳＤ放送を１つに集めて１つの番組としたマルチＳＤ放送（マルチアングル放送）や、レゾルーションが例えば７２０×４８０画素等の通常放送（ＳＤ放送）をまぜて放送実施することが予定されている。このようなＨＤ放送とＳＤ放送を時間帯、もしくは番組毎に混ぜて放送する放送形式は、俗に「まだら放送」と呼ばれており、さらに視聴要求を満足する放送形態として注目されている。
【００１２】
ところが、このようなまだら放送が開始されたことを考慮すると、まだら放送は現行の放送形態とは異なることから、従来の２次元表示のラテ欄型ＥＰＧ表示方法では、そのようなサービスに対して有効な内容表現が出来ない虞れがある。つまり、現行放送ではＳＤベースの放送のみであることから、この放送形態に合わせた形の２次元マトリックスを利用して、例えば図６で示したようにＥＰＧ表示を行っているが、まだら放送が開始された場合、このような従来の２次元表示のラテ欄型ＥＰＧ表示方法では、ユーザに対して番組検索を行う最大の手段であるＥＰＧ表示として対応できないか、あるいはユーザに見にくい表示方法になってしまうという危険性があり、ユーザに対して極めて不便な表示方法であるという問題があった。
【００１３】
そこで、次世代ディジタル放送の表示方法として、ＨＤ放送、マルチＳＤ放送、及びＳＤ放送を識別可能にＥＰＧ表示制御できる構成にすることで、まだら放送に適した番組情報表示を行うことができるようにした「まだら放送内容表示装置」が考えられている（例えば、特許文献１参照。）。
【００１４】
図７は、従来のまだら放送内容表示装置によりＨＤ放送、マルチＳＤ放送、及びＳＤ放送を識別可能に表示したラテ欄型ＥＰＧ画面３０の表示例を示す図である。
【００１５】
このまだら放送に適した従来のラテ欄型ＥＰＧ画面３０では、縦方向に異なるＨＤ放送チャンネル毎に多重編成可能な複数のＳＤ放送チャンネルを分割表記したチャンネル軸を構成し、個々のＨＤ放送番組をＨＤ放送表示枠３０Ｂ，３０Ｅ、個々のＳＤ放送番組をＳＤ放送表示枠３０Ａ，３０Ｄ、多重編成されたマルチＳＤ放送番組をマルチＳＤ表示枠３０Ｃとして表示制御している。
【特許文献１】特開２０００−１５２１１４号公報
【発明の開示】
【発明が解決しようとする課題】
【００１６】
前記従来のラテ欄型ＥＰＧ画面では、図６で示したまだら放送に対応していないＥＰＧ画面であっても、縦方向に分割された各チャンネル欄毎に横方向への時間軸に沿って長短様々な放送番組情報枠が表示され乱雑感がある上、図７で示したまだら放送対応のラテ欄型ＥＰＧ画面３０では、各ＨＤ放送のチャンネル欄毎にさらに多重編成可能な複数のＳＤ放送チャンネルを分割表記したより乱雑感の高いＥＰＧ画面となるため、特に今後の急速な普及が見込まれる地上波ディジタル放送の受信機能を備えた携帯端末装置や車載用端末装置など、小型な表示画面を備えたテレビ放送受信機では、番組情報が非常に見辛くなってしまう問題がある。
【００１７】
また、最近の大画面化されたテレビ放送受信機であっても、公共放送など、殆ど所定のチャンネルの放送しか見ない高齢者などにとっては、前記従来のラテ欄型ＥＰＧ画面ではやはり乱雑感が否めず見辛いと感じてしまう問題がある。
【００１８】
本発明は、このような問題に鑑みなされたもので、例えば小型画面のテレビ放送受信機であっても、ＨＤ放送と多重化ＳＤ放送とを組み合わせたディジタルテレビ放送の番組情報を見やすく表示することが可能になるディジタル放送内容表示装置およびその表示方法を提供することを目的とする。
【課題を解決するための手段】
【００１９】
本発明の請求項１（請求項６）に係るディジタル放送内容表示装置（表示方法）は、ディジタルテレビ放送の放送信号に含まれる番組情報に基づいてＥＰＧ画面を表示させるためのディジタル放送内容表示装置（表示方法）であって、放送信号入力手段によって前記放送信号を入力し、この入力された放送信号から番組情報抽出手段によって番組情報を抽出し、リスト枠表示制御手段によって行方向に一定間隔のリスト型の表示枠を取得して表示させる。そして、前記番組情報抽出手段により抽出された番組情報から番組情報読出手段によって指定のチャンネルの個々の番組情報を放送時刻順に読み出し、この読み出された番組情報がＨＤ放送の番組情報であるかＳＤ放送の番組情報であるかを放送モード判断手段によって判断する。この放送モード判断手段によりＨＤ放送の番組情報であると判断された場合には、第１の表示制御手段によって当該番組情報をその放送時刻と対応付けて前記リスト枠表示制御手段により表示されたリスト型表示枠に一行表示させ、前記放送モード判断手段により同じ放送時刻で多重化されたＳＤ放送の番組情報であると判断された場合には、第２の表示制御手段によって当該多重化された複数のＳＤ放送の番組情報をそれぞれその放送時刻と対応付けて前記リスト枠表示制御手段により表示されたリスト型表示枠の連続する複数の行にそれぞれ表示させる。そして、この第２の表示制御手段により前記リスト型表示枠の連続する複数の行にそれぞれ表示された複数のＳＤ放送の番組情報を識別表示制御手段によって識別して表示させる。
【００２０】
これによれば、ディジタルテレビ放送の特徴となるＨＤ放送番組とＳＤ放送番組とが混合した各番組情報が単チャンネルで単純化したリスト型ＥＰＧ画面によって表示されるだけでなく、その中で同時刻に多重化されたＳＤ放送の各番組情報が識別表示されることになる。
【発明の効果】
【００２１】
本発明に係るディジタル放送内容表示装置（表示方法）によれば、ディジタルテレビ放送の特徴となるＨＤ放送番組とＳＤ放送番組とが混合した各番組情報が単チャンネルで単純化したリスト型ＥＰＧ画面によって表示されるだけでなく、その中で同時刻に多重化されたＳＤ放送の各番組情報が識別表示されるので、例えば小型画面のテレビ放送受信機であっても、ＨＤ放送と多重化ＳＤ放送とを組み合わせたディジタルテレビ放送の番組情報を見やすく表示することが可能になる。
【発明を実施するための最良の形態】
【００２２】
以下図面により本発明の実施の形態について説明する。
【００２３】
（第１実施形態）
図１は、本発明の実施形態に係るディジタル放送内容表示装置を搭載したテレビジョン受像機の電子回路の構成を示すブロック図である。
【００２４】
図２は、前記ディジタル放送内容表示装置を搭載したテレビジョン受像機の第１実施形に係るＥＰＧ表示画面２０の一例を示す図である。
【００２５】
図３は、前記ディジタル放送内容表示装置を搭載したテレビジョン受像機の第１実施形に係るＥＰＧ内容表示制御処理を説明するためのフローチャートである。
【００２６】
本実施の形態では、前記問題を解決するために、ディジタルテレビ放送信号から得られた番組情報を２次元ＥＰＧ画面２０として表示する場合に、指定チャンネル毎の表示で且つ縦軸である行方向を時間方向として各番組開始時刻毎のＨＤ放送およびＳＤ放送の番組情報を一行（２１ａ，２１ｂ，…）ずつリスト型式で表示するように表示リスト枠の構成を決定し、その中で多重化されたＳＤ放送の番組情報については各番組情報毎に連続行表示（２１c1，２１c2，２１c3）すると共に当該多重化ＳＤ放送番組の範囲を識別枠Ｗで囲むようにＥＰＧ表示制御可能に構成することにより、その目的を達成するようにしている。
【００２７】
具体的には、図１に示すように、ディジタル放送内容表示装置が組み込まれたテレビジョン受像機には、図示しない送信手段によって放送されたディジタル放送信号（ディジタルテレビジョン信号）を受信するアンテナ１が設けられ、アンテナ１によってディジタル放送信号が受信される。
【００２８】
本実施の形態において、前記送信手段は、複数の番組に応じた番組データを圧縮した圧縮番組データと、これらの圧縮番組データに付加するＳＩ情報（番組情報）とをそれぞれパケット化し、その後、多重することにより得た放送信号を送信する。つまり、送信手段は、例えばＭＥＰＧ２方式等の高能率圧縮符号化処理を採用して放送信号を生成して送信する。
【００２９】
ＳＩ情報には、放送信号に基づく番組の属性を示す番組情報が含まれており、この番組情報は、放送局で番組ごとに視聴者の番組選択に役立つデータであり、番組選択するための電子番組表を表示するのに必要な情報も含まれている。例えば番組タイトル名や、番組をジャンル別に分類するのに必要なジャンル情報、番組の開始終了時刻情報、放送事業者番号情報（伝送チャンネル情報）、有料放送やまだら放送（ＨＤ放送、マルチＳＤ放送、ＳＤ放送）等の放送サービス形態を示す情報、番組のシリーズ情報及び番組の視聴可能な制限年齢情報等のデータである。また、送信される放送信号が有料放送である場合には、課金を行うための課金情報等も前記番組情報に付加される場合もある。
【００３０】
なお、放送事業者番号情報とは、伝送チャンネル番号を意味するものであるが、ディジタル放送では、例えば同じチャンネル番号にて複数の番組を放送する場合もあることから、これらを識別するために単なるチャンネル番号ではなく、放送事業者番号と定義している。勿論、同じ放送事業者番号の場合には、これらを識別するための識別情報も含まれるようになっている。また、前記マルチＳＤ放送とは、１つの同一番組でマルチアングルにあるいはマルチストリーにグループ化された複数のＳＤ放送であり、例えば上述したように野球中継等で、各アングル毎に１つのＳＤ放送とし、この複数のＳＤ放送を１つに集めて１つの番組としたものである。また前記単にＳＤ放送とは、同じチャンネル番号にて複数の異なるＳＤ放送番組を多重化した場合の１つのＳＤ放送である。
【００３１】
前記番組情報を含むテレビジョン信号が前記アンテナ１に誘起し、誘起したテレビジョン信号は、チューナ部２に入力される。
【００３２】
チューナ部２は、図示しないユーザによるリモコン操作等に応答するホストＣＰＵ７からの制御信号に基づいて、前記番組情報が含まれる受信データから所定の伝送チャンネルを選択（同調）し、選択した伝送チャンネルの受信データをデマルチプレクサ３に与える。
【００３３】
デマルチプレクサ３は、選択した伝送チャンネルの受信データ中に含まれる識別情報（以下、ＩＤと称す）に基づいてパケットを分離し、パケット単位毎のビットストリームを得る。このとき、デマルチプレクサ３は、パケット分離によって番組情報が含まれるデータストリームを得た場合には、該データストリームを共通バス６を介してホストＣＰＵ７に出力する。また、パケット毎の受信データ、つまり、ビデオストリーム及びオーディオストリームについては、該ビデオストリームをビデオデコーダ４に、オーディオストリームをオーディオデコーダ５にそれぞれ出力する。
【００３４】
ビデオデコーダ４は、入力されたビデオストリームにデコード等の復号化処理を施すことで、送信時の符号化以前の映像信号に戻し、得られた映像信号をバックエンドプロセッサ８に与える。
【００３５】
一方、オーディオデコーダ５は、入力されたオーディオストリームにデコード等の再生をするのに必要な信号処理や増幅処理等を施すことによりオーディオ信号を得、得られたオーディオ信号をＡ／Ｄコンバータ９へ与えることでアナログ変換後、スピーカー１０に出力する。これにより、オーディオ信号に基づく音声が再生される。
【００３６】
バックエンドプロセッサ８は、グラフィックス生成部１３からのグラフィックス画像が供給された場合には、入力された映像信号にこのグラフィックス画像を合成する合成処理を行い、得られた合成信号をビデオ信号としてディスプレイ１１に出力する。つまり、この合成処理を行うことにより、現受信チャンネルのテレビジョン信号に基づく主画面上にグラフィックス画像をオンスクリーン表示させることが可能となる。また、このバックエンドプロセッサ８は、この合成処理の他に、ホストＣＰＵ７による制御により、オンスクリーン表示するグラフィック画像、あるいは主映像の表示サイズの大きさを自由に拡大、縮小させる処理機能も有している。
【００３７】
なお、グラフィックス生成部１３で生成されるグラフィックス画像とは、ＥＰＧ（番組情報）表示や、チャンネル番号、音量表示等のオンスリーン（On Screen Display の略でＯＳＤと称す）表示画像等である。
【００３８】
一方、デマルチプレクサ３で分割されたデータストリームは、一旦、ホストＣＰＵ７経由でメインメモリ１２に格納される。このとき、ホストＣＰＵ７は、例えばデータストリーム中のＥＩＴ（Event Information Table ）等の中に格納されている番組情報のみを抜き出し、メインメモリ１２に格納するように書き込み制御する。このメインメモリ１２の番組情報等のデータの書き込み、読み出しは、ホストＣＰＵ７によって制御されるようになっている。
【００３９】
本実施の形態の特徴であるＥＰＧ表示モード実行時、ホストＣＰＵ７は、前記メインメモリ１２に書き込まれている番組情報を読み出し制御するとともに、読み出した番組情報のＯＳＤ表示制御、表示位置制御等が可能である。
【００４０】
具体的には、ホストＣＰＵ７は、図示はしないが予め文字や図形等のキャラクタ情報が記憶されているメモリ等を含んで構成されている。ホストＣＰＵ７は、番組表示モード実行時にはメインメモリ１２の読み出し制御により、ＥＰＧ画面を表示するのに必要な番組情報をメインメモリ１２より読み出して該ホストＣＰＵ７に取り込み、この番組情報のデータ解析を行い、解析結果に基づくＯＳＤ表示形態となるようにＯＳＤ表示制御する。つまり、ホストＣＰＵ７は、表示する番組情報が解析結果に基づくＯＳＤ表示形態となるように、グラフィックス生成部１３の出力である表示するキャラクタ情報に対応した画像（例えばＲＧＢ信号）の縦、横、大きさ等の読み出し位置を変えるためのビットマップデータを、グラフィックス生成部１３に与える。これにより、ホストＣＰＵ７によって読み出し位置が制御されたグラフィックス生成部１３からのグラフィック画像（ＲＧＢ信号）がバックエンドプロセッサ８に供給されることで、例えば現受信チャンネルのテレビジョン信号に基づく主画面上にグラフィックス画像が前記解析結果に基づくＯＳＤ表示形態でＯＳＤ表示することが可能となる。
【００４１】
また、ホストＣＰＵ７は、表示する番組情報の解析結果に基づくＯＳＤ表示形態となるように、バックエンドプロセッサ８による、グラフィックス画面及び主画面のサイズ変更制御や表示するグラフィック画面の重ね合わせ（透かしレベル）調整制御も可能である。これにより、表示する番組情報に応じて最適な表示領域のグラフィックス画面（例えばＥＰＧ画面）をＯＳＤ表示することができ、また、その表示領域のサイズに応じて透かしレベルを変えるように制御することにより、グラフィックス画面のＯＳＤ表示により影響される主画面映像の妨げもなく、理想的なグラフィックス画面のＯＳＤ表示を行うことも可能である。
【００４２】
また、グラフィックス生成部１３は、ホストＣＰＵ７による制御により、ＯＳＤ表示するＥＰＧ画面内の各表示枠（番組枠ともいう）そのものの太さおよび枠色を調整可能に処理する機能も有しており、ＯＳＤ表示する各番組情報に基づき、各表示枠の太さ・枠色の調整が自由に制御されるようになっている。
【００４３】
したがって前記構成によれば、ＥＰＧ表示モード実行時、すなわち図示しないリモコンのＥＰＧ表示ボタン押下時に、ホストＣＰＵ７のＥＰＧ表示制御によって、グラフィックス生成部１３により生成された、ＥＰＧ画面をＯＳＤ表示するための画像信号（ＲＧＢ信号）が上述したバックエンドプロセッサ８に供給されることにより、ディスプレイ１１の画面上には、例えば現受信チャンネルの映像信号に基づく表示画面上に、ＨＤ放送、ＳＤ放送、マルチＳＤ放送の識別が可能であり、ＨＤ放送を主流にして多重化ＳＤ放送を組み合わせたディジタルテレビ放送に適したＥＰＧ画面をＯＳＤ表示することが可能となる。このＥＰＧ画面の表示例が図２に示されている。
【００４４】
例えば、ＥＰＧ画面の一例としては、図２に示すように現在まだら放送内の各放送信号が受信可能な番組情報が表示されたまだら放送対応のＥＰＧ画面２０がディスプレイ１１の画面上にＯＳＤ表示される。このＥＰＧ画面２０は、縦軸となる行方向の一行毎（２１ａ，２１ｂ，…）に番組開始時刻と各番組情報とを対応付けた指定の単チャンネルで独立したリスト型ＥＰＧ画面２０となっており、複数の異なるＳＤ放送番組を同時刻に多重化した範囲は連続行（２１c1，２１c2，２１c3）に表示され、多重化ＳＤ放送識別枠Ｗにより囲まれて強調表示される。
【００４５】
そして、ＥＰＧ画面２０上部の指定チャンネル表示欄には、チャンネル切換ボタン２２ａ，２２ｂが表示配置され、同画面下部には、日時切換ボタン２３、次画面ボタン２４が表示配置される。
【００４６】
すなわち、このＥＰＧ画面２０では、時間方向について各ＨＤ放送や各ＳＤ放送を対象とする一定間隔の行サイズとしたリスト型の表示枠を構成して表示され、多重化ＳＤ放送識別枠Ｗは、多重化されたＳＤ放送番組情報の連続行表示された範囲のリスト枠に沿って表示される。
【００４７】
これにより、該ＥＰＧのＯＳＤ表示モードを実行すれば、現在、ユーザが指定しているチャンネルと日付において視聴可能なまだら放送としてのＨＤ放送及び多重化されたＳＤ放送の番組タイトル名をリスト型にしたＥＰＧ画面２０が表示されるので、例えディスプレイ１１の表示画面サイズが小型であっても、ユーザは当該リスト型に単純化したＥＰＧ画面２０に従い、またその表示枠の構成から、瞬時に同チャンネルにおける各ＨＤ放送番組と多重化された各ＳＤ放送番組とを区別することができ且つ認識することが可能となる。
【００４８】
また、本実施の形態では、ホストＣＰＵ７によるグラフィックス生成部１３に対する表示制御によって、前記リスト化された各行表示枠内の背景色をその放送形態に応じて色分けするように表示制御することも可能である。この場合には、例えば前記多重化ＳＤ放送識別枠Ｗに替えて、当該多重化されたＳＤ放送番組の連続行によるリスト表示範囲の各行の背景色を他のＨＤ放送番組のリスト表示範囲の背景色と色分け表示したＥＰＧ画面をＯＳＤ表示させる。このようなＥＰＧ画面では、ＨＤ放送番組の表示範囲と、多重化されたＳＤ放送番組の表示範囲とのそれぞれの背景色が異なる色で色分け表示されたものとなり、単チャンネルで独立した単純リスト型のＥＰＧ画面と相まって、さらに有効に区別することが可能となる。
【００４９】
尚、本実施の形態では、テレビジョン受像機に設けられた操作部やリモコン（図示せず）を操作することによって、画面上に表示されたＥＰＧ画面２０等を見ながらの指定チャンネルの切換操作や日付の切換操作だけでなく、番組概要説明のための番組指定や番組選択、番組選局等の入力操作が可能である。例えば、ユーザがリモコン（あるいは本体操作部）を操作して実行モードを実行すると、この実行モードを示すリモコンからのリモコン信号が本体に設けられたキー入力回路（図示せず）によって取り込まれた後、ホストＣＰＵ７に供給され、該ホストＣＰＵ７によってこの操作信号が認識され、該操作信号に基づくモードを実行するようにＯＳＤ表示制御や選局制御等も可能である。
【００５０】
次に、本実施の形態の特徴となるディジタル放送内容表示方法の処理を、図２および図３を参照しながら詳細に説明する。尚、実際にまだら放送が開始されたことを想定し、このまだら放送信号を受信してまだら放送の各放送信号に対応した番組情報が既にメインメモリ１２内に取り込まれているものとして説明する。
【００５１】
いま、視聴者が、例えば図示しないリモコンからまだら放送対応のＥＰＧ画面を表示させる要求を行ったものとする。すると、ホストＣＰＵ７は、グラフィックス生成部１３に対してＥＰＧ表示の準備の指示を行う（ステップＳ１）。
【００５２】
その後、ホストＣＰＵ７は、メインメモリ１２に貯えられた番組情報を再度メインメモリ１２から読み出すととともに、この読み出した番組情報の中でＥＰＧ表示に必要な情報のみ（ここでは番組名のみを例とする。）を抜き出し（ステップＳ２）、行方向に一定間隔にして各番組開始時刻とその番組名とを対応付けてリスト型ＥＰＧ表示させるための空きのリスト枠を決定する（ステップＳ３）。
【００５３】
そして、ホストＣＰＵ７は、前記ステップＳ２において抜き出した番組情報の中から指定の日付で指定のチャンネル（デフォルトでは現在日時以降の第１チャンネル）に対応する番組情報を放送時刻の方向に順次読み出し（ステップＳ４）、当該読み出した番組の放送モード（ＨＤ放送か、多重化された通常のＳＤ放送またはマルチＳＤ放送か）を判断する（ステップＳ５）。このステップＳ５におけるＨＤ放送とＳＤ放送の判断処理は、番組データとともに送信される番組情報に含まれるヘッダ等の識別データを検出することで可能である。
【００５４】
ここで、ＨＤ放送であると判断した場合には該当番組情報を前記リスト枠内の空いている最上の行にその番組開始時刻と対応付けて表示させるように制御する（ステップＳ６）。
【００５５】
この際、ホストＣＰＵ７は、文字データ（ビットマップデータ）への展開を行い、グラフィックス生成部１３に、前記決定したリスト型の表示枠に対応して表示させる番組情報のビットマップデータを転送する。一方、グラフィックス生成部１３では、前記ステップＳ３の処理で決定されたリスト型表示枠のサイズで該ビットマップデータに基づく文字表示を行う。
【００５６】
つまりこの段階では、図２で示したような当日「１０／１４（木）」の第１チャンネル「１．ＮＨＫ総合」についてのリスト型ＥＰＧ画面２０がディスプレイ１１上に表示され、そのリスト枠内の最上の行２１ａに前記指定チャンネルの現在日時順に読み出されたＨＤ放送の番組開始時刻「９：００」と番組名「首都圏ネットワーク」が対応付けられて表示されることになる。
【００５７】
すると、ホストＣＰＵ７は、前記指定の日付で指定のチャンネルに対応して順次読み出される番組情報について次の時刻の番組情報があるか否かを判断し（ステップＳ７）、同日で次の時刻の番組情報がある場合には前記ステップＳ４からの処理に戻る。
【００５８】
そして、前記ステップＳ５において、ＳＤ放送であると判断した場合には、同時刻内で多重化された該当の各ＳＤ放送番組情報をそれぞれ一行毎に前記リスト枠内の空いている最上の行からその同時刻の各番組開始時刻と対応付けて連続行表示させるように制御する（ステップＳ８）。
【００５９】
またこれと共に、前記連続行表示された多重化ＳＤ番組情報を囲むリスト枠を、太枠で異なる表示色にした多重化ＳＤ放送識別枠Ｗとして強調識別表示させるように制御する（ステップＳ９）。
【００６０】
例えば図２で示したような当日「１０／１４（木）」の第１チャンネル「１．ＮＨＫ総合」についてのリスト型ＥＰＧ画面２０において、そのリスト枠内で事前のＨＤ放送の番組情報が表示された行２１ｃに続く３行の連続行２１d1，２１d2，２１d3に対し、それぞれ前記指定チャンネルの現在日時順に読み出された多重化ＳＤ放送の各番組開始時刻「１２：００」と各番組名「世界の出来事」「ニュース１００」「明日の天気」とが対応付けられて連続表示され、さらにその範囲が多重化ＳＤ放送識別枠Ｗにより囲まれ表示される。
【００６１】
この後、ホストＣＰＵ７によって、前記ステップＳ４〜Ｓ９によるＨＤ放送番組とＳＤ放送番組とのリスト型ＥＰＧ画面２０での表示処理が繰り返されることで、指定の日付で指定のチャンネルにおけるＨＤ放送およびＳＤ放送混合の各番組情報が各番組開始時刻順にリスト表示され、しかも同時刻で多重化された各ＳＤ放送番組については多重化ＳＤ放送識別枠Ｗによって明確に識別されて表示されるようになる。
【００６２】
こうして、指定の日付で指定のチャンネルに従ったリスト型ＥＰＧ画面２０が表示された状態で、チャンネル切換ボタン２２ａ，２２ｂがユーザに操作されて指定チャンネルの切換が指示されると（ステップＳ１０）、ＥＰＧ表示制御すべき指定のチャンネルが切り換えられて再び前記ステップＳ３以降の処理が繰り返し実行される（ステップＳ１１）。
【００６３】
また、同リスト型ＥＰＧ画面２０が表示された状態で、日時切換ボタン２３がユーザに操作されて指定日時の切換が指示されると（ステップＳ１２）、ＥＰＧ表示制御すべき指定の日時が切り換えられて再び前記ステップＳ３以降の処理が繰り返し実行される（ステップＳ１３）。
【００６４】
この結果、例えば、図２に示すようなチャンネル単位のリスト型ＥＰＧ画面２０が表示される。即ち、このリスト型ＥＰＧ画面２０では、指定した希望のチャンネルのＨＤ放送とＳＤ放送とが混在した番組情報のみが番組開始時刻順に行方向にリスト化されて表示されるようになり、しかも主流のＨＤ放送番組情報に対し同時刻に複数多重化されて放送される各ＳＤ放送番組情報については、多重化ＳＤ放送識別枠Ｗによって囲んで表示されることになる。
【００６５】
なお、この第１実施形態では、単チャンネルで単純化したリスト型ＥＰＧ画面２０によって、小型な表示画面であっても見易いＥＰＧ画面としただけでなく、多重化ＳＤ放送識別枠Ｗを表示制御することで、主流のＨＤ放送の番組表示行と多重化ＳＤ放送の番組表示行との確実な識別を可能にしたが、前記多重化ＳＤ放送の番組表示行の背景色を変える制御とすることでその確実な識別を可能にしてもよい。また、前記多重化ＳＤ放送識別枠Ｗの表示制御とその中のＳＤ放送番組表示行に対する背景色の変化制御とを組み合わせて、より確実な識別を可能にしてもよい。
【００６６】
したがって、前記構成による第１実施形態のディジタル放送内容表示装置およびその表示方法によれば、ディジタルテレビ放送の特徴となるＨＤ放送番組とＳＤ放送番組とが混合した各番組情報を単チャンネルで単純化したリスト型ＥＰＧ画面２０によって表示させるだけでなく、その中で同時刻に多重化されたＳＤ放送の各番組情報を強調表示の枠（Ｗ）により囲って表示させたり、背景色を変化させたりして表示させることができるので、例え小型な表示画面であっても視聴者が容易に放送モードとその番組内容を認識することができ、瞬時に番組選択するのに必要な番組情報を得ることが可能となり、番組選択操作の簡略化に大きく寄与する。
【００６７】
ところで、前記第１実施形態のディジタル放送内容表示装置およびその表示方法では、指定のチャンネルで単純化したリスト型ＥＰＧ画面２０において、主流となるＨＤ放送の番組情報と多重化された複数の各ＳＤ放送の番組情報とをユーザに容易に識別させて認識させるために、連続行表示した各ＳＤ放送番組情報の範囲を強調表示枠（Ｗ）で囲って表示制御するか、または背景色を変化させて表示制御する構成としたが、次の第２実施形態において説明するように（図４参照）、前記連続行表示した各ＳＤ放送番組情報の表示行にそれぞれ多重化ＳＤ放送の識別マーク「ＳＤＴＶ」を付加表示させて当該各ＳＤ放送の番組情報を識別認識させる構成としてもよい。
【００６８】
（第２実施形態）
図４は、前記ディジタル放送内容表示装置を搭載したテレビジョン受像機の第２実施形に係るＥＰＧ表示画面２０の一例を示す図である。
【００６９】
図５は、前記ディジタル放送内容表示装置を搭載したテレビジョン受像機の第２実施形に係るＥＰＧ内容表示制御処理を説明するためのフローチャートである。
【００７０】
本第２実施形態では、前記第１実施形態におけるリスト型ＥＰＧ画面２０において、ＨＤ放送の番組情報と多重化されたＳＤ放送の番組情報とを容易に識別認識させるために、当該各ＳＤ放送番組情報の表示行にそれぞれ多重化ＳＤ放送の識別マーク「ＳＤＴＶ」を付加して表示させる。
【００７１】
具体的なシステム構成としては、前記第１の実施の形態と略同様であり、図１に示すディジタル放送内容表示装置を組み込んだテレビジョン受像機を用いて実施する。
【００７２】
つまり、ホストＣＰＵ７におけるリスト型ＥＰＧ表示制御処理内において、放送モードがＳＤ放送である場合に、当該ＳＤ放送の番組情報を表示させる各行の表示枠内にその放送形態を示す識別マーク「ＳＤＴＶ」の表示を行わせるための処理（ステップＳ９′）を、前記第１実施形態のリスト型ＥＰＧ表示制御において多重化ＳＤ放送識別枠Ｗの表示を行わせるための処理（ステップ９）に替えて付加する。
【００７３】
このようなホストＣＰＵ７における第２実施形態のリスト型ＥＰＧ表示制御動作を、図５を参照して説明する。なお、この図５に示すリスト型ＥＰＧ画面制御のフローチャートにおいて、前記図３で示した第１の実施の形態における制御フローチャートと同様な処理については、説明簡略化のため同一符号を付して説明を省略する。
【００７４】
いま、視聴者が、例えば図示しないリモコンからまだら放送対応のＥＰＧ画面を表示させる要求を行ったものとする。すると、ホストＣＰＵ７は、前記第１の実施の形態と同様にステップＳ１〜ステップＳ８の処理を順次行い、指定のチャンネルについてのＨＤ放送番組情報とＳＤ放送番組情報とを混合編成したまだら用リスト型ＥＰＧ画面２０を表示させる。
【００７５】
すると、前記ステップＳ８において連続行表示された多重化ＳＤ番組情報の各表示行毎に、当該表示行がＳＤ放送番組情報の表示行であることを識別させるためのＳＤ放送識別マーク「ＳＤＴＶ」を、追加挿入して表示させるように制御する（ステップＳ９′）。
【００７６】
例えば図４で示したような当日「１０／１４（木）」の第１チャンネル「１．ＮＨＫ総合」についてのリスト型ＥＰＧ画面２０において、そのリスト枠内で事前のＨＤ放送の番組情報が表示された行２１ｃに続く３行の連続行２１d1，２１d2，２１d3に対し、それぞれ前記指定チャンネルの現在日時順に読み出された多重化ＳＤ放送の各番組開始時刻「１２：００」と各番組名「世界の出来事」「ニュース１００」「明日の天気」とが対応付けられて連続表示され、さらにそのＳＤ放送番組の各表示行毎にそれぞれ前記ＳＤ放送識別マーク「ＳＤＴＶ」が付加されて表示される。
【００７７】
この後、ホストＣＰＵ７によって、前記ステップＳ４〜Ｓ９′によるＨＤ放送番組とＳＤ放送番組とのリスト型ＥＰＧ画面２０での表示処理が繰り返されることで、指定の日付で指定のチャンネルにおけるＨＤ放送およびＳＤ放送混合の各番組情報が各番組開始時刻順にリスト表示され、しかも同時刻で多重化された各ＳＤ放送番組についてはＳＤ放送識別マーク「ＳＤＴＶ」によって明確に識別されて表示されるようになる。
【００７８】
この結果、例えば、図４に示すようなチャンネル単位のリスト型ＥＰＧ画面２０が表示される。即ち、このリスト型ＥＰＧ画面２０では、指定した希望のチャンネルのＨＤ放送とＳＤ放送とが混在した番組情報のみが番組開始時刻順に行方向にリスト化されて表示されるようになり、しかも主流のＨＤ放送番組情報に対し同時刻に複数多重化されて放送される各ＳＤ放送番組情報については、ＳＤ放送識別マーク「ＳＤＴＶ」が付加されて表示されることになる。
【００７９】
なお、この第２実施形態では、単チャンネルで単純化したリスト型ＥＰＧ画面２０によって、小型な表示画面であっても見易いＥＰＧ画面としただけでなく、多重化ＳＤ放送番組の各番組情報表示行に対してそれぞれＳＤ放送識別マーク「ＳＤＴＶ」を付加し表示制御することで、主流のＨＤ放送の番組表示行と多重化ＳＤ放送の番組表示行との確実な識別を可能にしたが、前記第１実施形態における多重化ＳＤ放送識別枠Ｗの表示制御や当該番組表示行の背景色を変える制御を組み合わせて実施することで、より確実な識別を可能にしてもよい。
【００８０】
したがって、前記構成による第２実施形態のディジタル放送内容表示装置およびその表示方法によれば、ディジタルテレビ放送の特徴となるＨＤ放送番組とＳＤ放送番組とが混合した各番組情報を単チャンネルで単純化したリスト型ＥＰＧ画面２０によって表示させるだけでなく、その中で同時刻に多重化されたＳＤ放送の各番組情報をそれぞれ多重化ＳＤ放送識別マーク「ＳＤＴＶ」を付加して表示させたり、背景色を変化させたり、さらには多重化ＳＤ放送識別マークＷで囲んだりして表示させることができるので、例え小型な表示画面であっても視聴者が容易に放送モードとその番組内容を認識することができ、瞬時に番組選択するのに必要な番組情報を得ることが可能となり、番組選択操作の簡略化に大きく寄与する。
【００８１】
なお、前記各実施形態では、単チャンネルで単純化したリスト型ＥＰＧ画面２０において、多重化された各ＳＤ放送番組情報はそのそれぞれを同時刻の番組開始時刻に対応付けて連続の行に表示し、その連続行範囲を多重化ＳＤ放送識別枠Ｗで囲んで識別表示させたり、各行毎にＳＤ放送識別マーク「ＳＤＴＶ」を付加して識別表示させたりしたが、このように多重化した複数のＳＤ放送番組情報を連続行として表示することはせずに、当該多重化した複数のＳＤ放送番組のうちの先頭の番組情報のみ一行表示させ、前記各実施形態同様にこの一行範囲を多重化ＳＤ放送識別枠Ｗで囲んで識別表示させたり、ＳＤ放送識別マーク「ＳＤＴＶ」を付加して識別表示させたりすると共に、当該識別された一行表示によるＳＤ放送の番組情報表示行にカーソルを移動させることで、該当の複数のＳＤ放送番組情報をポップアップ表示させてユーザに確認させる構成としてもよい。
【００８２】
さらに、前記各実施形態においてそのリスト型ＥＰＧ画面２０の各行毎に表示させたＨＤ放送番組情報とＳＤ放送番組情報には、その同日・同チャンネルにおける番組総数ｎのうちの何番目ｍであるかを示す番組番号マーク「ｍ／ｎ」を付加して表示させることで、リスト型ＥＰＧ画面２０にて現在見える番組情報の範囲以外で次画面ボタン２４の操作によって切り替え表示が可能になる同チャンネル内で連続するＨＤおよびＳＤ放送番組情報との連続性について、容易に確認できるようになる。
【００８３】
なお、前記各実施形態において記載したテレビジョン受像機でのディジタル放送内容表示機能による各処理の手法、すなわち、図３のフローチャートに示す第１実施形態のリスト型ＥＰＧ画面表示制御処理、図５のフローチャートに示す第２実施形態のリスト型ＥＰＧ画面表示制御処理等の各手法は、何れもコンピュータに実行させることができるプログラムとして、メモリカード（ＲＯＭカード、ＲＡＭカード等）、磁気ディスク（フロッピディスク、ハードディスク等）、光ディスク（ＣＤ−ＲＯＭ、ＤＶＤ等）、半導体メモリ等の外部記録媒体に格納して配布することができる。そして、ディジタルテレビ放送の受信機能を備えた種々のコンピュータ端末は、この外部記録媒体に記憶されたプログラムをメインメモリ１２からホストＣＰＵ７に読み込み、この読み込んだプログラムによって動作が制御されることにより、前記各実施形態において説明したリスト型ＥＰＧ画面２０の表示機能を実現し、前述した手法による同様の処理を実行することができる。
【００８４】
また、前記各手法を実現するためのプログラムのデータは、プログラムコードの形態として通信ネットワーク（インターネット）上を伝送させることができ、この通信ネットワーク（インターネット）に接続されたコンピュータ端末（プログラムサーバ）から前記のプログラムデータをダウンロードして取り込み、前述したリスト型ＥＰＧ画面２０の表示機能を実現することもできる。
【００８５】
なお、本願発明は、前記各実施形態に限定されるものではなく、実施段階ではその要旨を逸脱しない範囲で種々に変形することが可能である。さらに、前記各実施形態には種々の段階の発明が含まれており、開示される複数の構成要件における適宜な組み合わせにより種々の発明が抽出され得る。例えば、各実施形態に示される全構成要件から幾つかの構成要件が削除されたり、幾つかの構成要件が組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【図面の簡単な説明】
【００８６】
【図１】本発明の実施形態に係るディジタル放送内容表示装置を搭載したテレビジョン受像機の電子回路の構成を示すブロック図。
【図２】前記ディジタル放送内容表示装置を搭載したテレビジョン受像機の第１実施形に係るＥＰＧ表示画面２０の一例を示す図。
【図３】前記ディジタル放送内容表示装置を搭載したテレビジョン受像機の第１実施形に係るＥＰＧ内容表示制御処理を説明するためのフローチャート。
【図４】前記ディジタル放送内容表示装置を搭載したテレビジョン受像機の第２実施形に係るＥＰＧ表示画面２０の一例を示す図。
【図５】前記ディジタル放送内容表示装置を搭載したテレビジョン受像機の第２実施形に係るＥＰＧ内容表示制御処理を説明するためのフローチャート。
【図６】従来のラテ欄型ＥＰＧ画面の表示例を示す図である。
【図７】従来のまだら放送内容表示装置によりＨＤ放送、マルチＳＤ放送、及びＳＤ放送を識別可能に表示したラテ欄型ＥＰＧ画面３０の表示例を示す図。
【符号の説明】
【００８７】
１…アンテナ、２…チューナ、３…デマルチプレクサ（ＤＭＵＸ）、
４…ビデオデコーダ、５…オーディオデコーダ、６…共通バス、７…ホストＣＰＵ、
８…バックエンドプロセッサ、９…Ａ／Ｄコンバータ、１０…スピーカ、
１１…ディスプレイ、１２…メインメモリ、１３…グラフィックス生成部、
２０…リスト型ＥＰＧ画面、２１ａ，２１ｂ，…ＨＤ放送番組表示行、
２１d1，２１d2，…多重化ＳＤ放送番組表示行、
２２ａ，２２ｂ…チャンネル切換ボタン、２３…日付切換ボタン、
２４…次画面ボタン、Ｗ…多重化ＳＤ放送識別枠、
ＳＤＴＶ…多重化ＳＤ放送識別マーク。
【図１】
2006050507.tif 000003
【図２】
2006050507.tif 000004
【図３】
2006050507.tif 000005
【図４】
2006050507.tif 000006
【図５】
2006050507.tif 000007
【図６】
2006050507.tif 000008
【図７】
2006050507.tif 000009